(57)【要約】【課題】セルガイドの固定作業のときに、ねじを使い分ける手間を省き製造の手間とコストを低減するとともに、間違った種類のねじをねじ込んでしまう不具合が発生するのを抑制する。【解決手段】背面部１１と、接続部１２１と、背面部１１に対し平行で且つ外方向へ折曲した支持部１２２とを備えたリヤフレーム１と、ランプフレーム３１と、拡散板４１及び拡散シート４２の外周部を押える長方形枠状のセルガイド４３とを有し、リヤフレーム１は一部を切り曲げて形成された固定部１４を有しており、ランプフレーム３１が固定部１４を覆うように配置されるとともに、セルガイド４３とランプフレーム３１が固定部１４に共締めされている液晶モジュールＡ。【選択図】図５
2009036963.tif 000002
【特許請求の範囲】
【請求項１】
金属板を切り曲げて形成され、長方形状の背面部と、前記背面部の両方の長辺より斜めに立設された接続部と、前記接続部から前記背面部に対し平行で且つ外方向へ折曲した支持部とを備えたリヤフレームと、
背面側でランプを保持するランプフレームと、
外周部が前記支持部及び前記ランプフレームと接触配置され、光を拡散させる長方形状の拡散板と、
前記拡散板に重ねて配置された光を拡散させる長方形状の拡散シートと、
前記拡散板及び拡散シートの外周部を前記支持部及び前記ランプフレームとで挟持する長方形枠状のセルガイドとを有し、
前記リヤフレームは一部を切り曲げて形成された固定部を有しており、
前記ランプフレームが前記固定部を覆うように配置されるとともに、正面側の前記固定部と重なる位置に貫通孔を有しており、
前記セルガイドが前記ランプフレームの貫通孔と重なる位置に係止孔を有しており、
前記セルガイドの係止孔と前記ランプフレームの貫通孔とがねじにて貫通され、前記固定部に形成されたねじ孔が前記ねじと螺合されていることを特徴とする液晶モジュール。
【請求項２】
前記リヤフレームは前記背面の短辺を折り曲げて形成された枠部とを有しており、
前記固定部が前記枠部の一部を切り曲げて形成されている請求項１に記載の液晶モジュール。
【請求項３】
前記ランプフレームは前記枠部と接触するように配置されており、前記枠部と対向する面に、前記固定部が配置された凹部が形成されている請求項２に記載の液晶モジュール。
【請求項４】
前記セルガイドは長辺部の一部を形成する長部と、短辺部の一部を形成する短部とが直交するように形成されたＬ字状部材を４個連結してなるものであり、
前記共締め用貫通孔が前記各Ｌ字状部材の短辺部に少なくとも１個形成されている請求項１から請求項３のいずれかに記載の液晶モジュール。
【請求項５】
前記セルガイドは長部を前記リヤフレームの支持部にねじ止めされることで固定されるものであり、
前記長部の前記支持部への固定と前記短部の前記固定部への固定とが、同一形状のねじを利用して行われる請求項４に記載の液晶モジュール。
【発明の詳細な説明】
【技術分野】
【０００１】
本発明は、セルガイドを安定して固定することができる液晶モジュールに関する。
【背景技術】
【０００２】
液晶モジュールは、薄型、軽量、低消費電力であるという特徴を有するものであり、ノートＰＣ、ＰＣ用モニタ、ＴＶ受像機等の映像を表示する表示装置として広く用いられている。
【０００３】
従来の液晶モジュールについて、図面を参照して説明する。図６は従来の液晶モジュールの分解斜視図である。液晶モジュールＢは、リヤフレーム９１と、反射シート９２と、ランプ９３と、ランプ９３からの光を拡散させる拡散板９４１及び拡散シート９４２と、長方形状の枠体であるセルガイド９４３と、長方形状の一対のガラス基板の間に液晶が充填された液晶セル９５と、正面側の支持枠であるベゼル９６とを有している。ランプ９３はランプフレーム９３１にて、支持されており、ランプフレーム９３１はリヤフレーム９１に固定されている。
【０００４】
拡散板９４１及び拡散シート９４２がリヤフレーム９１及びランプフレーム９３１の正面側に配置され、さらに正面側より、セルガイド９４３で押えられて固定されている。また、液晶セル９５がセルガイド９４３の正面側に配置され、さらに正面側より、ベゼル９６で押えることで固定されている（特開２００１−１７４７８９号公報参照）。
【０００５】
ランプフレーム９３１はねじにてリヤフレーム９１にて固定されている。セルガイド９４３はねじを用いて、リヤフレーム９１及びランプフレーム９３１に固定されている。また、ベゼル９６はねじを用いてリヤフレーム９１に固定されている。ベゼル９６を固定しているねじの一部はセルガイド９４３を貫通し、セルガイド９４３を共締めしている。
【０００６】
図７は従来のセルガイドとリヤフレームとの固定状態の断面図であり、図８は従来のセルガイドとランプフレームとの固定状態の断面図である。なお、リヤフレーム９１は金属板をきりまげて形成されたものであり、ランプフレーム９３１及びセルガイド９４３は樹脂の成型品である。
【０００７】
図７に示すように、リヤフレーム９１は長方形状の背面部９１１と、背面部９１１の長辺部より立設された立ち上り部９１２と、立ち上り部９１２の先端部を外側に背面部９１１と平行に折り曲げて形成された支持部９１３とを有している。拡散板９４１、拡散シート９４２は支持部９１３と接触して配置されており、セルガイド９４３に押えられて固定されている。支持部９１３には雌ねじ孔９１４が形成されているとともに、セルガイド９４３には貫通孔９４３１が形成されており、貫通孔９４３１を貫通したねじが雌ねじ孔９１４と螺合されることで、セルガイド９４３がリヤフレーム９１に固定されている。
【０００８】
図８に示すように、拡散板９４１、拡散シート９４２はランプフレーム９３１に接触配置されており、セルガイド９４３にて押えられて固定されている。ランプフレーム９３１には雌ねじ孔９３２が形成されているとともに、セルガイド９４３には貫通孔９４３２が形成されており、貫通孔９４３２を貫通したねじが雌ねじ孔９３２と螺合されることで、セルガイド９４３がリヤフレーム９１に固定されている。
【０００９】
【特許文献１】特開２００１−１７４７８９号公報
【発明の開示】
【発明が解決しようとする課題】
【００１０】
しかしながら、リヤフレーム９１が金属板を折り曲げて形成されているものであり、ランプフレーム９３１が樹脂の成型体であるため、リヤフレーム９１と螺合するねじは金属用ものを、ランプフレーム９３１と螺合するねじは樹脂用のものを用いなくてはならない。すなわち、セルガイド９４３の取り付けには、金属用ねじと樹脂用ねじとを用意しなくてはならず、部品点数が増える。
【００１１】
また、金属用ねじと樹脂用ねじとはねじの大きさ、形状が異なるとともに、締め付けトルクが異なるので、それぞれ異なる締め付け用の工具を用いて締め付けられている場合が多い。この場合、製造者はセルガイド９４３をリヤフレーム９１及びリヤフレーム９１に折りつけられたランプフレーム９３１に固定するのに、異なる種類の工具を持ち替えなくてはならず、それだけ、手間がかかるし、作業が煩雑になる。
【００１２】
また、ランプフレーム９３１に金属用のねじをねじ込んでしまったり、その逆にリヤフレーム９１に樹脂用のねじをねじ込んでしまったり、するミスが発生する場合がある。このように間違った種類のねじで螺合した場合、ねじ山がつぶれて、ねじが取れなく（取れにくく）なってしまったり、ねじの締め付けが不十分で、液晶モジュールの使用中にねじが外れてしまったり等の不具合が発生する可能性が高い。
【００１３】
そこで本発明は、セルガイドが安定して固定された液晶モジュールを提供することを目的とする。
【００１４】
また本発明は、セルガイドの固定作業のときに、ねじを使い分ける手間を省くことを目的とする。
【００１５】
さらに本発明は、セルガイドの固定作業のときに、間違った種類のねじをねじ込んでしまう不具合が発生するのを抑制することを目的とする。
【課題を解決するための手段】
【００１６】
上記目的を達成するために本発明は、金属板を切り曲げて形成され、長方形状の背面部と、前記背面部の両方の長辺より斜めに立設された接続部と、前記接続部から前記背面部に対し平行で且つ外方向へ折曲した支持部とを備えたリヤフレームと、背面側でランプを保持するランプフレームと、外周部が前記支持部及び前記ランプフレームと接触配置され、光を拡散させる長方形状の拡散板と、前記拡散板に重ねて配置された光を拡散させる長方形状の拡散シートと、前記拡散板及び拡散シートの外周部を前記支持部及び前記ランプフレームとで挟持する長方形枠状のセルガイドとを有し、前記リヤフレームは一部を切り曲げて形成された固定部を有しており、前記ランプフレームが前記固定部を覆うように配置されるとともに、正面側の前記固定部と重なる位置に貫通孔を有しており、前記セルガイドが前記ランプフレームの貫通孔と重なる位置に係止孔を有しており、前記セルガイドの係止孔と前記ランプフレームの貫通孔とがねじにて貫通され、前記固定部に形成されたねじ孔が前記ねじと螺合されている。
【００１７】
この構成によると、前記セルガイドをリヤフレーム及びランプフレームに固定するときに、樹脂用のねじを用いず、金属用のねじを用いることができる。このことは、前記液晶モジュールを組み立てるときに、樹脂用のねじを廃止することができ、これにより、部品の種類を減らすことができる。
【００１８】
また、形状、締め付けトルク等の異なる２種以上のねじを用いなくてもよいので、工具を持ち替えなくてもよく、それだけ、製造にかかる手間を省くことができる。また、２種の異なるねじを用いることで、生じる、ねじの取り違えミスを低減することができ、ねじの間違いによる不具合の発生を低減することができる。
【００１９】
上記構成において、前記リヤフレームは前記背面の短辺を折り曲げて形成された枠部とを有しており、前記固定部が前記枠部の一部を切り曲げて形成されているものであってもよい。またこのとき、前記ランプフレームは前記枠部と接触するように配置されており、前記枠部と対向する面に、前記固定部が配置された凹部を有していてもよい。
【００２０】
上記構成において、前記セルガイドは長辺部の一部を形成する長部と、短辺部の一部を形成する短部とが直交するように形成されたＬ字状部材を４個連結してなるものであり、
前記共締め用貫通孔が前記各Ｌ字状部材の短辺部に少なくとも１個形成されているものであってもよい。
【００２１】
上記構成において、前記セルガイドは長部を前記リヤフレームの支持部にねじ止めされることで固定されるものであり、前記長部の前記支持部への固定と前記短部の固定部への固定とが、同一形状のねじを利用して行われるものであってもよい。
【００２２】
この構成によると、前記セルガイドを固定するときに用いられるねじは同形状のもの１種だけであるので、ねじを探したり、持ち替えたりする手間が省け、それだけ、製造工程を簡単化することができる。また、製造工程が簡単化されることで、ミスが発生しにくく、短時間で精度のよい製品を製造することが可能である。
【発明の効果】
【００２３】
本発明によると、セルガイドの固定に用いられるねじとして、すべて、金属用ねじを用い、セルガイドが安定して固定された液晶モジュールを提供することができる。
【００２４】
また本発明によると、セルガイドの固定作業のときに、ねじを使い分ける手間を省くことができ、それだけ、製造の手間とコストを低減することができる。
【００２５】
さらに本発明によると、セルガイドの固定作業のときに、間違った種類のねじをねじ込んでしまう不具合が発生するのを抑制することができる。
【発明を実施するための最良の形態】
【００２６】
以下に本発明の実施形態を図面を参照して説明する。図１は本発明にかかる液晶モジュールの分解斜視図である。図１に示すように、液晶モジュールＡは少なくとも、リヤフレーム１、反射シート２、ランプ３、ランプフレーム３１、光拡散部材４、液晶セル５、ベゼル６を有している。
【００２７】
リヤフレーム１は金属板を折り曲げて形成されたものであり、長方形状の背面部１１と、背面部１１の一対の長辺より立設された立ち上り部１２と、背面部１１の一対の短辺より立設された枠部１３とを有している。立ち上り部１２は背面部１１より立ち上がる接続部１２１と、接続部１２１と連結され、液晶パネル４の長辺を支持する支持部１２２と、支持部１２２と連結され、接続部１２１と対抗する外枠部１２３とを有している。
【００２８】
反射シート２はリヤフレーム１の正面側に配置されるものであり、リヤフレーム１の背面部１１及び接続部１２１と密接して取り付けられている。リヤフレーム１の正面側には反射シート２を配置した後、バックライトとして用いられるランプ３が配置される。ランプ３はＵ字状に形成された陰極管であり、その両端部にはランプホルダ３０が取り付けられている。ランプホルダ３０は背面部１１、接続部１２１及び枠部１３と接触した状態で固定されている。ランプホルダ３０には図示を省略した電線が接続されており、この電線よりランプ３を駆動するための電力が供給される。
【００２９】
リヤフレーム１の短辺には正面側より取り付けられ、ランプ３のランプホルダ３０及び折り返し部を保持するためのランプフレーム３１が備えられている。ランプフレーム３１は台状に形成されており、リヤフレーム１の背面部１１及び接続部１２１と接触するように配置されている。また、ランプフレーム３１はリヤフレーム１の短辺に枠部１３と接触して配置された状態でリヤフレーム１の支持部１２２と同一平面上に配置される支持部３１１を備えている。
【００３０】
光拡散部材４はランプ３より出射された光及び反射シート２で反射された光を拡散するための拡散板４１及び拡散シート４２と、セルガイド４３とを有している。拡散板４１はリヤフレーム１の支持部１２２及びランプフレーム３１の支持部３１１に外周部を支持されており、その上部に２枚の拡散シート４２が配置されている。セルガイド４３は、拡散板４１、拡散シート４２の四辺を上面側よりリヤフレーム１の支持部１２２及びランプフレーム３１の支持部３１１に向けて押える長方形状の枠体である。セルガイド４３は、各角部を含む４個のＬ字状の部材に分割される。
【００３１】
セルガイド４３の上部に液晶セル５が載置されている。液晶セル５は、液晶パネル５１と、液晶パネル５１に接続されたソースドライバ５２と、ゲートドライバ５３とを有している。液晶パネル５１は平行に配置された２枚のガラス基板５１１、５１２と、ガラス基板５１１、５１２の間に充填された液晶層５１３とを有している。
【００３２】
液晶セル５において、ガラス基板５１１には映像が形成される映像領域に形成された透明電極（共通電極：図示省略）が備えられている。また、ガラス基板５１２には、画素ごとに独立して形成された透明電極（画素電極：図示省略）が備えられており、画素電極にはスイッチング素子（トランジスタ：図示省略）が取り付けられている。なお、共通電極と画素電極は互いに他方のガラス基板に形成されるようにしてもよい。
【００３３】
ベゼル６はリヤフレーム１の支持部１２２及びランプフレーム３１の支持部３１１の正面側を覆うことができる金属製の枠体である。ベゼル６は正面側に液晶セル５の映像表示部を外部より視認することができる開口６０を有している。また、ベゼル６は断面Ｌ字状を有するものである。ベゼル６はリヤフレーム１の支持部１２２及びランプフレーム３１の支持部３１１と対向した正面部６１と、リヤフレーム１の外枠部１２３及び枠部１３と当接した側面部６２とを有している。ベゼル６はねじ止めにてリヤフレーム１の外枠部１２３及び枠部１３に固定されている。
【００３４】
ランプフレーム３１及びセルガイド４３は一部共通のねじでリヤフレーム１に固定されている。セルガイド４３のリヤフレーム１へのねじ止め構造について、以下に図面を参照して説明する。図２は本発明にかかる液晶モジュールのリヤフレームの平面図であり、図３は図２に示すリヤフレームのＸ−Ｘ線断面図である。リヤフレーム１の支持部１２２には、等間隔でねじ孔１２４が形成されている。
【００３５】
図２、図３に示すように、リヤフレーム１は枠部１３の一部を折り曲げて形成された固定部１４を有している。図２、図３に示すように、固定部１４は、枠部１３の内側より、リヤフレーム１の背面部１１と平行となるように突設された基部１４１と、基部１４１の枠部１３と交差する辺のより、背面部１１と反対側に突設された長方形状の立ち上り部１４２と、立ち上り部１４２の先端より突設された台座部１４３と、台座部１４３の内部に形成されたねじ孔１４４とを有している。図２に示すように、固定部１４は一方の枠部１３に２個形成されている。
【００３６】
光拡散部材４はランプフレーム３１が配置されたリヤフレーム１の上に配置される。図４はリヤフレームに光拡散部材を取り付けた状態の平面図であり、図５は図４に示すリヤフレーム及び光拡散部材のＹ−Ｙ断面図である。
【００３７】
図４に示すように、ランプフレーム３１がリヤフレーム１の枠部１３と接触するように取り付けられている。図５に示すように、ランプフレーム３１にはリヤフレーム１に配置されたときに枠部１３と対向する面の固定部１４と重なる部分に凹溝３１２が形成されている。また、ランプフレーム３１は支持部３１１の凹溝３１２と対応する部分に支持部３１１から凹溝３１２に貫通する貫通孔３１３が形成されている。図４に示すように、凹溝３１２及び貫通孔３１３はランプフレーム３１に２個形成されているが、それに限定されるものではなく、固定部１４にあわせて形成されるものである。
【００３８】
図４に示すように、セルガイド４３は、４つのＬ字状の部材に分割されるものである。このＬ字状の部材は、対角線上に配置されるものが同じ形状を有するものである。なお、セルガイド４３は２個の第１分割部４３１と、２個の第２分割部４３２とを組み合わせて形成されている。図４に示されたセルガイド４３は、第１分割部４３１は図中右上と左下に、第２分割部４３２は図中左上と右下に配置されている。ここでは、便宜上、液晶セルＡの左側の短辺側に固定されている状態に関して説明するが、図中右側の短辺についても同様の構成を有し、同様に固定されている。
【００３９】
図４に示すように、第１分割部４３１は短部４３１１と長部４３１２とを有しており、第２分割部４３２は短部４３２１と長部４３２２とを有している。第１分割部４３１の短部４３１１及び第２分割部４３２の短部４３２１は、係止孔４３３を有している。係止孔４３３は短部４３１１及び短部４３２１を支持部３１１に配置したときに、貫通孔３１３と重なるように形成されている。第１分割部４３１の長部４３１２及び第２分割部４３２の長部４３２２には係止孔４３４を有している。係止孔４３４はリヤフレーム１の支持部１２２に形成されたねじ孔１２４と重なるように形成されている。
【００４０】
ランプフレーム３１は枠部１３と接触されるとともに、固定部１４が凹溝３１２内に収納されるようにリヤフレーム１に配置される。このとき、リヤフレーム１には予め反射シート２とランプ３が取り付けられている。拡散板４１及び拡散シート４２は長辺がリヤフレーム１の支持部１２２に、短辺がランプフレーム３１の支持部３１１と接触するように配置される。拡散板４１及び拡散シート４２は、支持部１２２及び支持部３１１に形成されている凸部（図示省略）にて位置決めされている。
【００４１】
上述したように、第１分割部４３１と第２分割部４３２とが組み立てられてセルガイド４３が形成される。セルガイド４３はリヤフレーム１の支持部１２２及びランプフレーム３１の支持部３１１と接触するように配置される。セルガイド４３が配置された状態で、ねじＢｔがセルガイド４３側から係止孔４３３及び貫通孔３１３に貫通され、台座部１４３のねじ孔１４４と螺合される。また、同様にねじＢｔが係止孔４３４にセルガイド４３側から貫通され、ねじ孔１２４に螺合される。
【００４２】
このようにして、セルガイド４３が拡散板４１及び拡散シート４２の周縁部をリヤフレーム１の支持部１２２及びランプフレーム３１の支持部３１１と挟持しつつ、リヤフレーム１に固定される。このとき、ねじＢｔは拡散板４１及び拡散シート４２とは接触しないように、配置されている。
【００４３】
このように、ねじＢｔが螺合されるねじ孔１２４及びねじ孔１４４はいずれも、リヤフレーム１に形成されているものである。そのため、少なくとも、セルガイド４３をリヤフレーム１に固定するときに、用いられるねじＢｔは金属用のねじに統一することができる。また、ねじの長さ、ねじの径も統一することが可能であり、ランプホルダ３１及びセルガイド４３を１種類のねじでリヤフレーム１に固定することが可能である。
【００４４】
このことにより、従来のセルガイド４３を樹脂にねじで固定するものに比べて、ねじを複数種類用いなくてもよく、それだけ、部品の種類を減らすことができ、コストを低減することができる。また、ねじの使い分けが必要ないので、製造の手間を省くことができる。製造の手間を省くことで、製造にかかる時間を削減し、コストダウンすることができるとともに、間違った種類のねじ（樹脂に金属用のねじを用いる、あるいは、その逆）を行うミスを削減することができるので、ねじ止めが不十分であったり、締めすぎてしまったりして、部材が外れやすかったり、ねじがつぶれて分解ができなくなったりする不具合を抑制することができる。
【００４５】
以上、発明の実施形態を具体的に説明したが、本発明は上記実施形態に限定するものではなく、その要旨を逸脱しない範囲で種々変更可能である。
【産業上の利用可能性】
【００４６】
本発明は、液晶モジュールに採用することが可能である。
【図面の簡単な説明】
【００４７】
【図１】本発明にかかる液晶モジュールの分解斜視図である。
【図２】本発明にかかる液晶モジュールのリヤフレームの平面図である。
【図３】図２に示すリヤフレームのＸ−Ｘ線断面図である。
【図４】リヤフレームに光拡散部材を取り付けた状態の平面図である。
【図５】図４に示すリヤフレーム及び光拡散部材のＹ−Ｙ断面図である。
【図６】従来の液晶モジュールの分解斜視図である。
【図７】従来のセルガイドとリヤフレームとの固定状態の断面図である。
【図８】従来のセルガイドとランプフレームとの固定状態の断面図である。
【符号の説明】
【００４８】
１  リヤフレーム
１１  背面部部
１２  立ち上り部
１２１  接続部
１２２  支持部
１２３  外枠部
１３  枠部
１４  固定部
２  反射シート
３  ランプ
３１  ランプフレーム
４  光拡散部材
４１  セルガイド
４２  拡散板
４３  拡散シート
５  液晶セル
５１  液晶パネル
５２  ソースドライバ
５３  ゲートドライバ
６  ベゼル
【図１】
2009036963.tif 000003
【図２】
2009036963.tif 000004
【図３】
2009036963.tif 000005
【図４】
2009036963.tif 000006
【図５】
2009036963.tif 000007
【図６】
2009036963.tif 000008
【図７】
2009036963.tif 000009
【図８】
2009036963.tif 000010